(57)【要約】【課題】リムに中空状の副気室を備えるとともに、機械強度に優れ、安定した走行を実現可能な車両用ホイールとこのような車両用ホイールの製造方法を提供する。【解決手段】リム２とディスク０とを備え、リム２に副気室５が形成された車両用ホイール１であって、副気室５が、回転軸方向に間隔をあけて設けられる隔壁により並列に分割され、かつタイヤとリム２との間に形成されるタイヤ主気室と連通する少なくとも一の連通部６を有する。【選択図】図２
2008126806.tif 000002
【特許請求の範囲】
【請求項１】
リムとディスクとを備え、前記リムに副気室が形成された車両用ホイールであって、
前記副気室が、回転軸方向に間隔をあけて設けられる隔壁により並列に分割され、且つタイヤと前記リムとの間に形成されるタイヤ主気室と連通する少なくとも一の連通部を有する車両用ホイール。
【請求項２】
前記副気室の総体積が、前記リムと前記タイヤ主気室の体積に対して２〜２５体積％に相当するものである請求項１または２に記載の車両用ホイール。
【請求項３】
リムとディスクとを備え、回転軸方向に間隔をあけて設けられる隔壁により並列に分割された副気室が前記リムに形成された車両用ホイールの製造方法であって、
前記リムと前記副気室との断面形状を有する部材が押出し成型される工程と、
押出し成型された前記部材がロール成型され、前記副気室を有する前記リムに加工される工程と、
前記リムと前記ディスクとを固着する工程と
を含む車両用ホイールの製造方法。
【請求項４】
リムとディスクとを備え、回転軸方向に間隔をあけて設けられる隔壁により並列に分割された副気室が前記リムに形成される車両用ホイールの製造方法であって、
前記リムの一部と前記副気室との断面形状を有する部材が押出し成型される工程と、
押出し成型された前記部材がロール成型され、前記副気室を有する前記リムの一部に加工される工程と、
前記リムの一部と、前記リムの一部とともに前記リムを形成する前記リムの他部とが固着される工程と
を含む車両用ホイールの製造方法。
【請求項５】
リムとディスクとを備え、回転軸方向に間隔をあけて設けられる隔壁により並列に分割された副気室が前記リムに形成される車両用ホイールの製造方法であって、
前記リムの一部の断面形状を有する部材が押出し成型される工程と、
押出し成型された前記部材がロール成型され、前記リムの一部に加工される工程と、
前記リムの一部に前記副気室が配設され、前記副気室が形成された前記リムの一部に加工される工程と、
前記リムの一部に、前記リムの一部とともに前記リムを形成する前記リムの他部とが固着される工程と
を含む車両用ホイールの製造方法。
【請求項６】
押出し成型された副気室形成部材がロール成型され、前記副気室に加工される工程をさらに含む請求項５に記載の車両用ホイールの製造方法。
【請求項７】
タイヤと前記リムとの間に形成されるタイヤ主気室と連通する少なくとも一の連通部がそれぞれの前記副気室に一以上設けられる工程をさらに含む請求項３〜６のいずれかに記載の車両用ホイールの製造方法。
【発明の詳細な説明】
【技術分野】
【０００１】
本発明は、車両用ホイール及びその製造方法に関する。さらに詳しくは、リムに中空状の副気室を有するとともに、機械的強度に優れ、安定した走行を実現可能な車両用ホイール及びその製造方法に関する。
【背景技術】
【０００２】
近年、自動車、特に、高級車とされる自動車においては、操縦安定性と車内空間の快適さとが共に求められている。このため、いわゆる足回りと呼ばれるタイヤ、車両用ホイール、サスペンション等においては、例えば、サスペンションのアクティブ制御技術、防振ゴムやタイヤの構造の改良技術等が開発されてきている。
【０００３】
車両用ホイールに関しても種々の改良がなされており、例えば、車内騒音に対して、その大きな要因であるタイヤ空洞共鳴音を抑えるべく、副気室をリムホイール内に設け、副気室と連通孔の寸法を調整することによりヘルムホルツ共鳴吸音器として作用させる車両用ホイール等が開示されている（例えば、特許文献１参照）。
【０００４】
例えば、特許文献１には、隔壁により分割されていない連続した一つの副気室を有する車両用ホイールや、個々に離隔した状態で副気室が形成されている車両用ホイールが開示されている。
【特許文献１】特開２００４−２９１８９６号公報
【発明の開示】
【発明が解決しようとする課題】
【０００５】
しかしながら、特許文献１に示すような、副気室が一つしか形成されていない車両用ホイールや、副気室が個々に離隔した状態で形成されている車両用ホイールは、上記したヘルムホルツ共鳴吸音器としての効果が低く問題となっていた。また、これらの車両用ホイールは、副気室が形成されている部位の機械的強度が低く、タイヤ装着時や走行時において、蓋部材等が変形してしまうという問題があった。
【０００６】
本発明は、上述した問題に鑑みてなされたものであり、リムに中空状の副気室を備えるとともに、機械的強度に優れ、安定した走行を実現可能な車両用ホイールとこのような車両用ホイールの製造方法を提供する。
【課題を解決するための手段】
【０００７】
本発明は、以下の車両用ホイール及びその製造方法を提供するものである。
【０００８】
［１］リムとディスクとを備え、前記リムに副気室が形成された車両用ホイールであって、前記副気室が、回転軸方向に間隔をあけて設けられる隔壁により並列に分割され、かつタイヤと前記リムとの間に形成されるタイヤ主気室と連通する少なくとも一の連通部を有する車両用ホイール（以下、「第一の発明」ということがある）。
【０００９】
［２］前記副気室の総体積が、前記リムと前記タイヤ主気室の体積に対して２〜２５体積％に相当するものである前記［１］又は［２］に記載の車両用ホイール（以下、「第二の発明」ということがある）。
【００１０】
［３］リムとディスクとを備え、回転軸方向に間隔をあけて設けられる隔壁により並列に分割された副気室が前記リムに形成された車両用ホイールの製造方法であって、前記リムと前記副気室との断面形状を有する部材が押出し成型される工程と、押出し成型された前記部材がロール成型され、前記副気室を有する前記リムに加工される工程と、前記リムと前記ディスクとを固着する工程とを含む車両用ホイールの製造方法（以下、「第三の発明」ということがある）。
【００１１】
［４］リムとディスクとを備え、回転軸方向に間隔をあけて設けられる隔壁により並列に分割された副気室が前記リムに形成される車両用ホイールの製造方法であって、前記リムの一部と前記副気室との断面形状を有する部材が押出し成型される工程と、押出し成型された前記部材がロール成型され、前記副気室を有する前記リムの一部に加工される工程と、前記リムの一部と、前記リムの一部とともに前記リムを形成する前記リムの他部とが固着される工程とを含む車両用ホイールの製造方法（以下、「第四の発明」ということがある）。
【００１２】
［５］リムとディスクとを備え、回転軸方向に間隔をあけて設けられる隔壁により並列に分割された副気室が前記リムに形成される車両用ホイールの製造方法であって、前記リムの一部の断面形状を有する部材が押出し成型される工程と、押出し成型された前記部材がロール成型され、前記リムの一部に加工される工程と、前記リムの一部に前記副気室が配設され、前記副気室が形成された前記リムの一部に加工される工程と、前記リムの一部に、前記リムの一部とともに前記リムを形成する前記リムの他部とが固着される工程とを含む車両用ホイールの製造方法（以下、「第五の発明」ということがある）。
【００１３】
［６］押出し成型された副気室形成部材がロール成型され、前記副気室に加工される工程をさらに含む前記［５］に記載の車両用ホイールの製造方法（以下、「第六の発明」ということがある）。
【００１４】
［７］タイヤと前記リムとの間に形成されるタイヤ主気室と連通する少なくとも一の連通部がそれぞれの前記副気室に一以上設けられる工程をさらに含む前記［３］〜［６］のいずれかに記載の車両用ホイールの製造方法（以下、「第七の発明」ということがある）。
【発明の効果】
【００１５】
本発明の車両用ホイールは、リムに二以上の副気室を有し、前記副気室に連通部が設けられているので、機械的強度に優れ、安定した走行を実現するとともに、走行中の空洞共鳴音を減少させる共鳴吸収が可能となる。また、本発明の車両用ホイールの製造方法は、このような車両用ホイールを簡便かつ高精度に製造することができる。
【発明を実施するための最良の形態】
【００１６】
以下、図面を参照して、本発明の車両用ホイール及びその製造方法の実施の形態について詳細に説明するが、本発明は、これに限定されて解釈されるものではなく、本発明の範囲を逸脱しない限りにおいて、当業者の知識に基づいて、種々の変更、修正、改良を加え得るものである。
【００１７】
［第一の実施の形態］
まず、第一の発明の車両用ホイールの一の実施の形態について具体的に説明する。図１（ａ）は、本実施の形態の車両用ホイール１を模式的に示す平面図、図１（ｂ）は、図１（ａ）に示す車両用ホイールを、その回転軸を含む平面で切断した断面図である。また、図２は、図１（ｂ）に示す車両用ホイールのリムの周辺部分を拡大した拡大断面図、図３は、図２に示す車両用ホイールの断面図である。
【００１８】
本実施の形態の車両用ホイールは、図１（ａ）及び図１（ｂ）に示すような、タイヤを装着するためのリム２と、リム２を支えるディスク９とを備え、リム２に中空状の二以上の副気室５が形成された車両用ホイール１であって、図２及び図３に示すように、二以上の副気室５はリム２に車両用ホイール１の回転軸方向（以下、単に「軸方向」ということがある）に間隔をあけて設けられる隔壁７により並列に分割され、タイヤと前記リム２との間に形成されるタイヤ主気室と前記各副気室５とを連通させる少なくとも一の連通部６が備えられている車両用ホイール１である。
【００１９】
図１（ｂ）〜図２に示す本実施の形態の車両用ホイール１は、リム２に軸方向に間隔をあけて設けられる三個の隔壁７により並列に分割され、副気室５が四個５ａ、５ｂ、５ｃ、５ｄに区画されたものであるが、区画される副気室５の数は四個に限定されることはなく、二以上であればよい。なお、走行中の空洞共鳴音を減少させる共鳴吸収を良好に行うためには、三個以上に副気室５が区画されていることが好ましく、四個以上に区画されていることがさらに好ましい。このように構成することによって、共鳴吸収の効果が増大する。
【００２０】
また、本実施の形態の車両用ホイール１においては、タイヤ主気室と上述した二以上の副気室５とを連通させる連通孔６がそれぞれの副気室５に一個以上穿設される（この連通孔６は請求項の「連通部」に相当する）。このように連通孔６を穿設することにより、連通孔６と副気室５とがヘルムホルツ共鳴吸音器となり、走行中の空洞共鳴音を減少させる共鳴吸収が可能となる。
【００２１】
なお、この連通孔６は、それぞれの副気室５に対して一個の連通孔６が穿設されていれば空洞共鳴音の効果を得ることができる。本実施の形態の車両用ホイール１においては、図３に示すように、四個の副気室５ａ、５ｂ、５ｃ、５ｄに穿設されている四個の連通孔６ａ、６ｂ、６ｃ、６ｄがリム２の周方向に９０度の間隔で設けられている。それぞれの副気室５に対して、一個以上の連通孔６を穿設させることによって、上述した共鳴吸収の効果を向上させることもできる。各副気室５に対して一個の連通孔６を穿設させる場合、リム２の周方向に均等に連通孔６が穿設されていることが好ましい。
【００２２】
副気室５と連通孔６とは、良好な共鳴吸収の効果を得るために、下記式（１）の関係を満たすように構成されていることが好ましい。
【００２３】
【数１】
2008126806.tif 000003
（但し、Ｖは副気室の総体積（ｃｍ3）、Ｓは連通孔の総断面積（ｃｍ2）、Ｌは連通孔の長さ（ｃｍ）、Ｎは一つの副気室に穿設する連通孔の数（個）、及びＣは音速（ｃｍ／ｓｅｃ）を示す）
【００２４】
副気室５と連通孔６とを、上記式（１）の関係を満たすような構成とすることにより、車両用ホイールに装着したタイヤの空洞共鳴音と同程度の周波数の共鳴周波数を設定することが可能となり、タイヤの空洞共鳴音を良好に減少させることができる。なお、それぞれの副気室５に穿設する連通孔６の数を異ならせる場合には、前記式（１）におけるＮは一つの副気室５に穿設する連通孔６の平均数（個）とする。
【００２５】
また、本実施の形態の車両用ホイール１は、副気室５の総体積がタイヤ装着時におけるリム２とタイヤによって囲われる空間の体積（タイヤ主気室の体積）に対して２〜２５体積％に相当するものであることが好ましく、３〜１５体積％に相当するものであることがさらに好ましい。なお、副気室５の総体積が２体積％未満となった場合には、車両用ホイール１の走行時の乗り心地の改良効果や共鳴吸収の効果が低下することがあり、２５体積％を超えると、車両用ホイール１によって共鳴吸収を行う場合に、低周波に対してバネ定数が下がり減衰性が低下することがある。
【００２６】
副気室５のタイヤ装着側表面を形成する部材の厚さについては、車両用ホイール１の大きさや、その材質等によっても異なるが、例えば、０．１〜８ｍｍであることが好ましく、０．５〜５ｍｍであることがより好ましい。また、副気室５の壁部７の厚さについても、車両用ホイール１の大きさや、その材質等によっても異なるが、例えば、０．５〜４ｍｍであることが好ましく、０．７〜２ｍｍであることがより好ましい。副気室５のタイヤ装着側表面を形成する部材及び壁部７が薄過ぎると、タイヤの装着時や車両の走行時に副気室５の形状が変化してしまうことがある。逆に、厚すぎると車両用ホイール１が必要以上に重くなってしまい、走行時における燃料消費率が低下する。
【００２７】
本実施の形態の車両用ホイール１においては、リム２やディスク９を形成する材料について特に制限はないが、例えば、車両用ホイール１として必要な機械的強度を得ることができるとともに軽量であることから、軽合金を主成分とすることが好ましく、具体的には、アルミニウム合金やマグネシウム合金を主成分とすることが好ましい。なお、本実施の形態において、主成分とは、車両用ホイール１全体に対する含有割合が、８０質量％以上の成分のことをいう。
【００２８】
このような本実施の形態の車両用ホイール１は、機械的強度に優れ、安定した走行を実現することができ、走行中の空洞共鳴音を減少させる共鳴吸収が可能となる。
【００２９】
図４は、本実施の形態の車両用ホイール１の製造方法（第三の発明）を示すフロー図である。
【００３０】
ステップ１１では、図５に示すようなリム２と副気室５との断面形状を有する部材２’が押出し成型される。
【００３１】
ステップ１２では、図６に示すように、ステップ１１で押出し成型された部材２’がロール成型され、副気室5を有するリム２に加工される。
【００３２】
ステップ１３では、図３に示すように、ステップ１２で加工されたリム２と例えば鋳造法など通常の方法により成型されたディスク９とを固着して、本実施の形態の車両用ホイール１を製造する。リム２にディスク９を固着する方法としては、溶接、ボルト止めなどいずれの方法でも使用できる。
【００３３】
上記のように、本実施の形態の車両用ホイール１は、図１（ａ）及び図１（ｂ）に示すように、リム２をその外周で保持し、車両に取り付けるため部材であるディスク９も備えている。このディスク９については、従来公知の車両用ホイールに用いられるディスク９と同様に構成されたものであることが好ましい。
【００３４】
また、本実施の形態の車両用ホイールの製造方法においては、図１（ｂ）、図２、図３に示すような、副気室５からタイヤ主気室に連通する連通孔６が各副気室５に一個以上穿設される。連通孔５は、リム２の軸方向の略中心部位に穿設することが好ましい。このように構成することによって、得られる車両用ホイール１の安定性を向上させることができる。
【００３５】
なお、図２に示す連通孔５の断面の大きさやその長さ等については、特に制限はなく、製造する車両用ホイール１において適宜選択して決定することができるが、連通孔５の断面の大きさやその長さ、また、タイヤ主気室の大きさを調整することにより、車両用ホイール１に共鳴吸収の効果を付与することができる。
【００３６】
本実施の形態の車両用ホイール１の製造方法においては、リム２と二以上の副気室５を同時に成型することができ、二以上の副気室５と各副気室５とタイヤ主気室とがと連通する連通孔５が形成された車両用ホイール１を簡便かつ高精度に製造することができる。
【００３７】
[第二の実施の形態]
次に、第一の発明の車両用ホイールの別の実施の形態（第二の実施の形態）について説明する。図７及び図８は、本実施の形態について、車両用ホイールのリムの周辺部分を拡大した拡大断面図である。図１（ａ）、図１（ｂ）及び図３に示す第一の実施の形態は第二の実施の形態と同じであり、説明を省略する。また、第一の実施の形態の場合と同じ構成についての説明は省略する。
【００３８】
本実施の形態の車両用ホイールは、図７及び図８に示すように、第一の実施の形態と同じように、二以上の副気室５はリム２に車両用ホイール１の軸方向に間隔をあけて設けられる隔壁７により分割され、タイヤ主気室と前記各副気室５とを連通させる少なくとも一の連通部６が備えられている車両用ホイール１である。
【００３９】
本実施の形態の車両用ホイールは、図７及び図８に示すように、第一の実施の形態と同じように、二以上の副気室５はリム２に車両用ホイール１の軸方向に間隔をあけて設けられる隔壁７により分割され、タイヤ主気室と前記各副気室５とを連通させる少なくとも一の連通部６が備えられている車両用ホイール１である。
【００４０】
本実施の形態の車両用ホイール１では、リム２が二つの部材２ａ、２ｂ（以下、それぞれ「リムの一部２ａ」「リムの他部２ｂ」という）から構成されている。リムの一部２ａには副気室５が形成され、リムの他部２ｂはディスク９に取り付けられる。
【００４１】
図７に示す車両用ホイール１では、例えば鋳造法など通常の方法により一体成型されたディスク９とリムの他部２ｂに、副気室５が形成されたリムの一部２ａを例えば溶接により接合し、固着することができる（ツーピースホイール・アウターリムキャスト式）。あるいは、リムの一部２ａとリムの他部２ｂとディスク９とを別々に加工して、それらを固着することもできる。
【００４２】
図８に示す車両用ホイール１は、リムの一部２ａとリムの他部２ｂと例えば鋳造法など通常の方法により成型されたディスク９とをネジ１０で固着したものである（スリーピースホイール・インナー側リム）。
【００４３】
このような本実施の形態の車両用ホイール１は、第一の実施の形態の車両用ホイール１と同様に、機械的強度に優れ、安定した走行を実現することができ、走行中の空洞共鳴音を減少させる共鳴吸収が可能となる。
【００４４】
図９は、本実施の形態の車両用ホイール１の製造方法（第四の発明）を示すフロー図である。
【００４５】
ステップ２１では、図１０及び図１２に示すように、リムの一部２ａと副気室５の断面形状を有する部材が押出し成型される。
【００４６】
ステップ２２では、図１１及び図１３に示すように、ステップ２１で押出し成型された前記部材がロール成型され、円環状の副気室5を有するリムの一部２ａに加工される。
【００４７】
ステップ２３では、ステップ２２で加工されたリムの一部２ａと、リムの一部２ａとともに前記リム２を形成するリムの他部２ｂとディスク９とが固着されて、本実施の形態の車両用ホイール１が製造される（図７及び図８参照）。
【００４８】
リムの他部２ｂは、上記のように、例えば鋳造法など通常の方法によりディスク９と一体成型し、図７に示すように、例えば溶接によりリムの一部２ａに接合し、固着することができる。
【００４９】
別の方法としては、リムの他部２ｂを上記リムの一部２ａと同じように、図１４に示すような断面を有する部材２ｂ’に押出し成型し、次いでロール成型し図１５に示すような円環状のリムの他部２ｂを加工する。このリムの他部２ｂと、上記方法で加工されたリムの一部２ａと、例えば鋳造法など通常の方法により成型されたディスク９とを例えば溶接により接合して、本実施の形態の車両用ホイール１が製造される（図７参照）。
【００５０】
また、上記方法で加工された円環状のリムの一部２ａと、リムの他部２ｂと、ディスク９とをネジ止めなど方法で固着して、本実施の形態の車両用ホイール１が製造される（図８参照）。
【００５１】
本実施の形態の車両用ホイール１の製造方法においては、副気室５が形成されたリム２がリムの一部２ａとリムの他部２ｂとに分けて製造されるので、二以上の副気室５が形成された車両用ホイール１を簡便かつ高精度に製造することができる。
【００５２】
[第三の実施の形態]
第一の発明の車両用ホイールの別の実施の形態について説明する。図１６（ａ）は、本実施の形態の車両用ホイール１を模式的に示す平面図、図１６（ｂ）は、図１６（ａ）に示す車両用ホイールを、その回転軸を含む平面で切断した断面図である。また、図１７は、図１６（ｂ）に示す車両用ホイール１のリム２の周辺部分を拡大した拡大断面図、図１８は、図１７に示す車両用ホイールの断面図である。なお、第一の実施の形態の場合と同じ構成についての説明は省略する。
【００５３】
本実施の形態の車両用ホイールは、図１６（ａ）及び図１６（ｂ）に示すような、タイヤを装着するためのリム２と、リム２を支えるディスク９とを備え、リム２の外周に中空状の二以上の副気室５が形成された車両用ホイール１であって、図１７及び図１８に示すように、二以上の副気室５はリム２に軸方向に間隔をあけて設けられる隔壁７により並列に分割され、タイヤと前記リム２との間に形成されるタイヤ主気室とそれぞれの前記副気室５とを連通させる少なくとも一の連通部６が備えられている車両用ホイール１である。
【００５４】
図１６（ａ）〜図１８に示すような本実施の形態の車両用ホイール１に使用される副気室形成部材４は、金属、樹脂、及びゴムからなる群から選択される少なくとも一種を含む材料からなることが好ましい。例えば、金属製の副気室形成部材４で成形された副気室５はリム２に硬質ゴムリングあるいは溶接等によって接続することができる。なお、金属製の副気室形成部材４としては、必要な機械的強度を得ることができるとともに軽量であることから、軽合金を主成分とすることが好ましく、具体的には、アルミニウム合金やマグネシウム合金を主成分とするものを挙げることができる。なお、本実施の形態において、主成分とは、リム２全体に対する含有割合が８０質量％以上の成分のことをいう。なお、本実施の形態の車両用ホイール１においては、金属製の副気室形成部材４がアルミニウム合金製であることがさらに好ましい。
【００５５】
また、副気室形成部材４が樹脂製のものである場合には、リム２又はリムの一部２aに接着材等によって接続することができる。なお、樹脂製の副気室形成部材４としては、尿素樹脂、メラミン樹脂、フェノール樹脂、エポキシ樹脂、不飽和ポリエステル樹脂、アルキド樹脂、ウレタン樹脂、ポリエチレン樹脂、ポリスチレン樹脂、ポリ塩化ビニル樹脂、ポリアミド樹脂、ポリプロピレン樹脂からなる群から選択される少なくとも一種から構成されていることがさらに好ましい。
【００５６】
さらに、副気室形成部材４がゴム製のものである場合には、天然ゴム、イソプレンゴム、スチレンブタジエンゴム、ブタジエンゴム、クロロプレンゴム、ニトリルゴム、ブチルゴム、エチレンプロピレンゴム、ウレタンゴム、シリコーンゴム、アクリルゴム、多硫化ゴム、クロロスルホン化ポリエチレンゴム、フッ素ゴム、水酸化ニトリルゴム、及びエピクロルヒドリンゴムからなる群から選択される少なくとも一種から構成されていることがさらに好ましい。
【００５７】
図２５は、スリーピースリム（インナー側リム）の本実施の形態の車両用ホイール１を示す。副気室形成部材４はリムの一部２ａに、溶接、ビス止め又はカシメ止めされている。リムの一部２ａと、リムの他部２ｂとディスク９とは、例えばボルト１０で固着されている。
【００５８】
図２６は、本発明の車両用ホイール１の他の実施の形態のリム周辺部の拡大図である。この車両用ホイール１では、副気室形成部材４としてパイプがロール加工される。ロール加工された円環状のパイプ１５を複数個（図２６では四個）リムの一部２ａに挿入し、溶接、ビス止め又はカシメ止めなどの方法で固着又は固定されている。
【００５９】
このような本実施の形態の車両用ホイール１は、第一の実施の形態の車両用ホイール１同様に、機械的強度に優れ、安定した走行を実現することができ、走行中の空洞共鳴音を減少させる共鳴吸収が可能となる。
【００６０】
図１９は、本実施の形態の車両用ホイール１の製造方法（第五の発明）を示すフロー図である。
【００６１】
ステップ３１では、図２０に示すようなリムの一部２aの断面形状を有する部材が押出し成型される。
【００６２】
ステップ３２では、図２１に示すように、ステップ３１で押出し成型された部材２ａ’がロール成型され、円環状のリムの一部２ａに加工される。
【００６３】
ステップ３３では、図２４に示すように、ステップ３２で成型された円環状のリムの一部２ａに副気室５が配設され、副気室５が形成されたリムの一部２ａに加工される。副気室５の配設方法としては、例えば円環状の副気室形成部材４を円環状のリムの一部２ａに挿入しカシメ止めする。もしくは、溶接で接合する。又は、副気室形成部材４の端部を硬質ゴムリングで止める（図１７及び図２６参照）などがある。さらに、円環状の副気室形成部材４を円環状のリムの一部２ａに挿入した後、鋳造により一体成型する方法がある。
【００６４】
副気室５は、例えば、図２２に示すような副気室形成部材４の断面形状を有するストレート板材４’を押出し成型し、次いで、図２３に示すように、円環状にロール成型する方法が好ましい。この方法では、材料の選択の幅が拡がる。副気室形成部材４の材料としては、上記段落［００５４］〜［００５６］記載の中から適宜選択できる。
【００６５】
ステップ３４では、図２４に示すように、ステップ３２で加工された周囲に副気室５が形成されたリムの一部２ａに、リムの一部２ａとともにリム２を形成するリムの他部２ｂ及びディスク９とを固着して、本実施の形態の車両用ホイール１を製造できる。
【００６６】
本実施の形態の車両用ホイール１の製造方法において、タイヤとリムとの間に形成されるタイヤ主気室と連通する少なくとも一個の連通部６がそれぞれの副気室５に一個設けられる工程を含むことが好ましい。
【００６７】
リムの他部２ｂは、第二の実施の形態の製造方法の場合と同様に、例えば鋳造法など通常の方法によりディスク９と一体成型し、図１７及び図２６に示すように、例えば溶接によりリムの一部２ａに接合し、固着することができる（ツーピースホイール・アウターリムキャスト式）。
【００６８】
別の方法としては、リムの他部２ｂを上記リムの一部２ａと同じように、図１４に示すような断面を有する部材２ｂ’に押出し成型し、次いでロール成型し図１５に示すような円環状のリムの他部２ｂを加工する。このリムの他部２ｂと、上記方法で加工されたリムの一部２ａと、例えば鋳造法など通常の方法により成型されたディスク９とを例えば溶接により接合して、本実施の形態の車両用ホイール１が製造される（図１７及び図２６参照）。
【００６９】
また、上記方法で加工された円環状のリムの一部２ａと、リムの他部２ｂと、ディスク９とをボルト１０などで固着して、本実施の形態の車両用ホイール１が製造される（スリーピースリム・インナー側リム、図２５参照）。
【００７０】
本実施の形態の車両用ホイール１の製造方法においては、副気室５が形成されたリム２がリムの一部２ａとリムの他部２ｂとに分けて製造されるので、二以上の副気室５が形成された車両用ホイール１を簡便かつ高精度に製造することができる。
【００７１】
[第四の実施の形態]
第一の発明の車両用ホイールの別の実施の形態について説明する。第一から第三の各実施形態の車両用ホイール１の製造方法において、構成部材の少なくとも一部を鋳造により製造したものを使用することにより製造工程を少なくすることができる。即ち、上記各実施形態のうち、構成部材を円環状にロール成形する工程を省くことができる。また更に、車両用ホイール１の全体を一体的な鋳造により成形することにより、機械的強度の向上と製造工程とを更に少なくすることができる。即ち、上記各実施形態のうち、構成部材を固着する工程を少なくすることができる。
【００７２】
本実施形態において、副気室５を含む構成部材を鋳造により形成する際は、副気室５に対応する形状の中子を鋳型内の副気室５に対応する位置に配置し、鋳込むように鋳造することで一体鋳造ホイールを製造する工程を少なくすることができる。中子を固定する手段は特に選ばないが、棒状の保持部材を鋳型とは取り外し可能な状態で鋳型内部を介して中子に埋設させて固定することが好ましい。鋳造が終了した段階では、得られた鋳造品には保持部材が埋設されている。この鋳造品から保持部材を引き抜くことにより、埋設された保持部材の形状に対応した貫通孔が得られる。
【００７３】
このようにして貫通孔を形成した後、鋳造品に埋設された中子を粉砕し、この貫通孔を経由させて取り出す。中子を粉砕する方法としては、例えば、バイブレータ等の振動によって粉砕する方法を挙げることができる。また、粉砕した中子を取り出す方法としては、例えば、二つ以上形成された貫通孔のうち、一方の貫通孔から高圧の空気等を導入して他方の貫通孔から強制的に排出する方法等を挙げることができる。この貫通孔は、あらかじめ連通孔５の形状のものを形成すれば、連通孔５として利用することができる。
【００７４】
また、鋳造方法については、特に制限はなく、例えば、重力鋳造法や低圧鋳造法を好適に用いることができる。また、鋳造によって得られた鋳造品に対しては、バリ取り等の仕上げ処理、溶体化処理や時効化処理等の熱処理、歪取り、ショットブラスト等を行ってもよい。
【００７５】
以上説明したように、本実施の形態の車両用ホイール１の製造方法によれば、リム２の外周に二以上の中空状の副気室５が形成された車両用ホイールを簡便かつ高精度に製造することできる。
【産業上の利用可能性】
【００７６】
本発明の車両用ホイール及びその製造方法は、リムに中空状の気室を有するとともに、機械的強度に優れ、安定した走行を実現することができる。特に、本実施の形態の車両用ホイールは、走行中の空洞共鳴音を減少させる共鳴吸収を行う車両用ホイールとして用いることができる。
【図面の簡単な説明】
【００７７】
【図１（ａ）】本発明の車両用ホイールの一の実施の形態を模式的に示す平面図である。
【図１（ｂ）】図１（ａ）に示す車両用ホイールの回転軸を含む平面で切断した断面図である。
【図２】図１（ｂ）に示す車両用ホイールのリム周辺部の拡大図である。
【図３】図２に示す車両用ホイールの断面図である。
【図４】本実施の形態の車両用ホイールの製造方法（第三の発明）を示すフロー図である。
【図５】本実施の形態の車両用ホイールの製造方法（第三の発明）において押出し成型されたリム部材の断面図である。
【図６】本実施の形態の車両用ホイールの製造方法（第三の発明）においてロール成型されたリムの断面図である。
【図７】本発明の車両用ホイールの他の実施の形態のリム周辺部の拡大図である。
【図８】本発明の車両用ホイールの他の実施の形態のリム周辺部の拡大図である。
【図９】本発明の車両用ホイールの他の実施の形態の製造方法（第四の発明）を示すフロー図である。
【図１０】本発明の車両用ホイールの他の実施の形態の製造方法（第四の発明）において押出し成型されたリムの一部の部材の断面図である。
【図１１】本発明の車両用ホイールの他の実施の形態の製造方法（第四の発明）においてロール成型されたリムの一部の断面図である。
【図１２】本発明の車両用ホイールの他の実施の形態の製造方法（第四の発明）において押出し成型されたリムの一部の部材の断面図である。
【図１３】本発明の車両用ホイールの他の実施の形態の製造方法（第四の発明）においてロール成型されたリムの一部の断面図である。
【図１４】本発明の車両用ホイールの他の実施の形態の製造方法において押出し成型されたリムの他部の部材の断面図である。
【図１５】本発明の車両用ホイールの他の実施の形態の製造方法においてロール成型されたリムの他部の断面図である。
【図１６（ａ）】本発明の車両用ホイールの他の実施の形態を模式的に示す平面図である。
【図１６（ｂ）】図１６（ａ）に示す車両用ホイールの回転軸を含む平面で切断した断面図である。
【図１７】図１６（ｂ）に示す車両用ホイールのリム周辺部の拡大図である。
【図１８】図１７に示す車両用ホイールの断面図である。
【図１９】本発明の車両用ホイールの他の実施の形態の製造方法（第五の発明）を示すフロー図である。
【図２０】本発明の車両用ホイールの他の実施の形態の製造方法（第五の発明）において押出し成型されたリムの一部の部材の断面図である。
【図２１】本発明の車両用ホイールの他の実施の形態の製造方法（第五の発明）においてロール成型されたリムの一部の断面図である。
【図２２】本発明の車両用ホイールの他の実施の形態の製造方法（第五の発明）において押出し成型された副気室形成部材のストレート板材の断面図である。
【図２３】本発明の車両用ホイールの他の実施の形態の製造方法（第五の発明）においてロール成型された副気室形成部材の断面図である。
【図２４】本発明の車両用ホイールの他の実施の形態の製造方法（第五の発明）においてリムの一部と副気室形成部材との結合部材の断面図である。
【図２５】本発明の車両用ホイールの他の実施の形態のリム周辺部の拡大図である。
【図２６】本発明の車両用ホイールの他の実施の形態のリム周辺部の拡大図である。
【符号の説明】
【００７８】
１：車両用ホイール、２：リム、４：副気室形成部材、５：副気室、６：連通孔、７：隔壁、９：ディスク、１０：ボルト、１５：パイプ。
【図１（ａ）】
2008126806.tif 000004
【図１（ｂ）】
2008126806.tif 000005
【図２】
2008126806.tif 000006
【図３】
2008126806.tif 000007
【図４】
2008126806.tif 000008
【図５】
2008126806.tif 000009
【図６】
2008126806.tif 000010
【図７】
2008126806.tif 000011
【図８】
2008126806.tif 000012
【図９】
2008126806.tif 000013
【図１０】
2008126806.tif 000014
【図１１】
2008126806.tif 000015
【図１２】
2008126806.tif 000016
【図１３】
2008126806.tif 000017
【図１４】
2008126806.tif 000018
【図１５】
2008126806.tif 000019
【図１６（ａ）】
2008126806.tif 000020
【図１６（ｂ）】
2008126806.tif 000021
【図１７】
2008126806.tif 000022
【図１８】
2008126806.tif 000023
【図１９】
2008126806.tif 000024
【図２０】
2008126806.tif 000025
【図２１】
2008126806.tif 000026
【図２２】
2008126806.tif 000027
【図２３】
2008126806.tif 000028
【図２４】
2008126806.tif 000029
【図２５】
2008126806.tif 000030
【図２６】
2008126806.tif 000031